(57)【要約】      （修正有）【課題】衣装を変えた本格的な写真を、簡単かつ安価に撮影できるようにする写真撮影用人形を提供する。【解決手段】少なくとも上体側の後部が切除された態様をなす中空の胴体及び胴体に接続された腕１２を有する一方、頭は有さない人形本体１００と、人形本体に着せられた所定の衣装２とを具備する。【選択図】図５
0003202419.tif 000002
【実用新案登録請求の範囲】
【請求項１】
少なくとも上側の後部が切除された態様をなす中空の胴体及び該胴体に接続された腕を有するとともに、頭は有さない人形本体と、該人形本体に着せられた所定の衣装とを具備したものであることを特徴とする写真撮影用人形。
【請求項２】
前記胴体が、その下側においても後部が切除されている態様をなすものであることを特徴とする請求項１記載の写真撮影用人形。
【請求項３】
正面から視て、前記衣装の左右の襟の間から胴体が見えないように、該胴体のうち、該衣装の襟間に相当する部分が切除されており、かつ、首を有さないことを特徴とする請求項１又は２記載の写真撮影用人形。
【請求項４】
胴体の裏側に被撮影者が把持するための取っ手が設けられていることを特徴とする請求項１乃至３いずれか記載の写真撮影用人形。
【請求項５】
胴体に接続された脚をさらに具備することを特徴とする請求項１乃至４いずれか記載の写真撮影用人形。
【請求項６】
椅子等の台座上に着座していることを特徴とする請求項１乃至５いずれか記載の写真撮影用人形。
【考案の詳細な説明】
【技術分野】
【０００１】
この考案は、記念写真や観光写真をとるための写真撮影用人形に関するものである。
【背景技術】
【０００２】
観光地や景勝地などでは、顔出しパネルなどと称される記念写真や観光写真撮影用のパネルが設置されていることがある。
【０００３】
この顔出しパネルとは、胴体や背景などがイラストされ、顔の部分だけ刳り貫かれたパネルである。写真撮影される人は、このパネルの裏側に回り、刳り貫かれた部分から顔を出して写真を撮影してもらう。
このことによって、顔だけが自分で、衣装や背景はその観光地などの特徴に沿った、まさしく記念写真を簡単に撮ることができる。
ただ、この顔出しパネルの欠点は、衣装がパネルに描かれた二次元的な絵や写真なので、撮影した写真が、明らかにうそっぽくなることである。
【０００４】
かといって、衣装を着替えての写真撮影となると、確かに本格的な写真にはなるものの、着替えるという手間がかかるうえ、衣装レンタルのための費用的な負担が生じる場合もある。
【考案の概要】
【考案が解決しようとする課題】
【０００５】
そこで、本考案は、衣装を着替えたかのごとくみえる本格的な写真を、簡単かつ安価に撮影できるようにすべく図ったものである。
【課題を解決するための手段】
【０００６】
すなわち、本考案に係る写真撮影用人形は、少なくとも上側の後部が切除された態様をなす中空の胴体及び該胴体に接続された腕を有するとともに、頭は有さない人形本体と、該人形本体に着せられた所定の衣装とを具備したものであることを特徴とする。
【０００７】
かかる構成によれば、正面や、やや斜めからから視たときに、写真撮影用人形によって人間が衣装を着たのと同様の立体感がすでに生まれているので、被撮影者が該人形の後ろに回って頭を出しさえすれば、本当に衣装を着替えて撮影したとほぼ同じ本格的な写真を簡単に撮ることができる。
被撮影者が人形の裏側により強く密着できるようにするには、前記胴体が、その下側においても後部が切除されている態様をなすものであることが好ましい。
【０００８】
人形本体が首をも有するものでも構わない。しかしながら、この構成の場合、首までが人形となるので、その首や衣装の襟間から見える人形の肌の色が、被撮影者の顔の色と微妙に異なるなどして、撮影した写真に若干の違和感が生じる場合がある。
【０００９】
これを回避するには、正面から視て、前記衣装の左右の襟の間から胴体が見えないように、該胴体のうち、該衣装の襟間に相当する部分が切除されており、かつ、首を有さないものが好ましい。
胴体の裏側に被撮影者が把持するための取っ手が設けられているものであれば、人形の裏側に被撮影者が安定的に密着できるので、写真を撮影しやすくなる。
上半身だけを撮影する場合は、人形に脚は不要であるが、全体撮影には、両脚をさらに具備したものが好適である。
椅子等の台座上に着座した構成にすれば、台座が被撮影者の脚を自然に隠してくれるという効果を奏し得る。
【考案の効果】
【００１０】
このように構成した本考案によれば、被撮影者が人形の後ろに回って頭を出しさえすれば、本当に衣装を着替えて撮影したとほぼ同じ本格的な写真を簡単に撮ることができる。
【図面の簡単な説明】
【００１１】
【図１】本考案の一実施形態における写真撮影用人形を示す全体図。
【図２】同実施形態における人形本体を示す正面図。
【図３】同実施形態における人形本体の背面図。
【図４】同実施形態における人形本体の側面図。
【図５】同実施形態における写真撮影用人形の後ろに被撮影者が回って写真撮影する状態を示す側面図。
【図６】同実施形態における写真撮影用人形の後ろに被撮影者が回って写真撮影する状態を示す正面図。
【考案を実施するための形態】
【００１２】
本考案の一実施形態について、図面を参照して説明する。
本実施形態に係る写真撮影用人形１００は、図１に示すように、人体を模した人形本体１と、該人形本体１に着せられた所定の衣装２とを具備するものである。
【００１３】
前記人形本体１は、中空樹脂製のものであり、図２〜図４に示すように、肩部から臀部に至るまでの、後の略半部がカットされた胴体１１と、該胴体１１に接続された両腕１２及び両脚１３とを具備している。しかして、この人形本体１には、首と頭は設けられていない。
前記衣装２は、図１に示すように、ここでは例えば羽織袴付の着物であり、その他に足袋、刀等をも含むものである。
【００１４】
ところで、着物のような左右襟２１付きの衣装２の場合、両襟２１の間から胸の上部が見えるが、この人形本体１の胴体１１において、衣装２における両襟２１の間部分が切除されており、図１、図２に示すように、正面から視た時には、襟２１の間から人形本体１は見えず、ただ空間が空いて見えるように構成してある。
なお、ここでの人形本体１は、上肢を前方に出し、膝を曲げて下肢を下に垂らした姿着座勢にしてある。
このように構成した写真撮影用人形１００は、ここでは岩を模した台座（図示しない）上に着座させてある。
【００１５】
写真撮影されたい人（被撮影者）３は、図５に示すように、人形１００の後ろに回りこむとともに、自身の胸を人形の１００における胴体１１の胸部のカットされた裏側にできるだけ押し付けるようにして頭を出し、撮影してもらう。
このとき、衣装２の襟２１間から自身の服装が見えないように、胸ははだけておくほうがよい。
【００１６】
しかして、このような写真撮影用人形１００は、胴体１１の後ろ半部は無いものの、正面から視れば、人間が衣装２を着たのと同様の立体感を有しているので、被撮影者３が人形の後ろに回って頭を出し、撮影さえすれば、図６に示すように、本当に衣装２を着替えて撮影したとほぼ同じ本格的な写真を簡単に撮ることができる。
【００１７】
特に、この実施形態では、衣装２の襟２１間から上、すなわち衣装２の襟２１間から見える部分も含め、それより上の部分（被撮影者３の胸の上部３１、首３２及び頭３３）が、全て被撮影者になるので、衣装２に着替えて撮影した場合とほとんど見分けがつかない。
【００１８】
また、真正面からだけではなく、やや斜めから撮影しても衣装２が被撮影者３の前半分以上を覆っていて、被撮影者３の服装が見えることはなく、正面同様に、本格的な写真を取ることができる。
【００１９】
ところで、衣装２の後ろ襟や背の上部分が、被撮影者３との間に挟まって、左右の襟１２の間から見えてしまうのではないかという疑念は当然に湧くであろう。しかしながら、胴体１１の後ろ半部が無いので、衣装２の後ろ襟や背の上部分は下に垂れ下がり、それらが左右の襟２１の間から見えることはない。
なお、本考案は前記実施形態に限られるものではない。
【００２０】
例えば、人形本体の胴体裏側に取っ手を付け、被撮影者がこの取っ手を把持できるようにしてもよい。この構成によって、被撮影者は、人形の後ろ側に、より密着し、かつ安定的に自身の姿勢を維持することができる。
また、上半身だけを撮影するためのものでもよい。その場合は、人形本体の下肢は不要であるし、衣装も下半身は不要である。
【００２１】
人形本体に首が付いていても構わない。この場合の首は、胴体同様、後部はカットされたものになる。この構成の場合、写真撮影すると、首までが人形なので、被撮影者の顔と色が微妙に異なるなど、若干の違和感が生じる場合はあるが、被撮影者が人形の首の上に頭（特に顎部）を載せられるので、安定した姿勢を取りやすいというメリットが生じる。人形本体に着せる衣装が首まであるような場合には、人形本体の首は見えなくなるので、そのような場合に有効である。
その他、本考案は前記実施形態に限られず、その趣旨を逸脱しない範囲で種々変形が可能である。
【符号の説明】
【００２２】
１００・・・写真撮影用人形
１・・・人形本体
１１・・・胴体
１２・・・腕
１３・・・脚
２・・・衣装
【図１】
0003202419.tif 000003
【図２】
0003202419.tif 000004
【図３】
0003202419.tif 000005
【図４】
0003202419.tif 000006
【図５】
0003202419.tif 000007
【図６】
0003202419.tif 000008